(57)【要約】【課題】  リブを設けてグリル板を補強してもグリル板の背面側に水が溜まらないように排水することができる浴室暖房機を提供する。【解決手段】  熱交換器１や送風機２を具備した浴室暖房機本体３の略水平な下面に、吸い込み口４や温風吹き出し口５を有するグリル板６を装着する。グリル板６の背面にグリル板６を補強するリブ７を縦横に複数本設ける。グリル板６にグリル板６の背面側の水を外部に排水する排水開口を設けると共にグリル板６の背面の複数本のリブ７に通水するための通水用切り欠き８を設けてグリル板６の背面の水を通水用切り欠き８を介して排水開口に集めるようにする。【選択図】      図１
2005076916.tif 000002
【特許請求の範囲】
【請求項１】
熱交換器や送風機を具備した浴室暖房機本体の略水平な下面に、吸い込み口や温風吹き出し口を有するグリル板を装着し、グリル板の背面にグリル板を補強するリブを縦横に複数本設け、グリル板にグリル板の背面側の水を外部に排水する排水開口を設けると共にグリル板の背面の複数本のリブに通水するための通水用切り欠きを設けてグリル板の背面の水を通水用切り欠きを介して排水開口に集めるようにしたことを特徴とする浴室暖房機。
【請求項２】
グリル板の最も低い部分に温風吹き出し口を設けてこの温風吹き出し口を上記排水開口とし、温風吹き出し口から外部に排水するようにしたことを特徴とする請求項１記載の浴室暖房機。
【請求項３】
浴室暖房機本体に温水のミストを噴き出すミストノズルを設け、グリル板に設けたノズル挿通穴にミストノズルを挿通してミストノズルの先端をグリル板の表面側に露出させたことを特徴とする請求項１または請求項２記載の浴室暖房機。
【発明の詳細な説明】
【技術分野】
【０００１】
本発明は、浴室内に温風を吹き出して浴室内の暖房を行う浴室暖房機に関し、詳しくは吸い込み口や温風吹き出し口を有するグリル板の構造に関するものである。
【背景技術】
【０００２】
従来、浴室の暖房をする浴室暖房機は、熱交換器、送風機を具備した浴室暖房機本体を浴室の天井裏に装着し、天井板を介して浴室暖房機本体の水平な下面に、吸い込み口や温風吹き出し口を有するグリル板を装着している（例えば、特許文献１、特許文献２参照）。
【特許文献１】特開平９−１３５９９４号公報
【特許文献２】特開平１１−２２６２９７号公報
【発明の開示】
【発明が解決しようとする課題】
【０００３】
ところで、浴室暖房機では浴室暖房機本体を設置した後、浴室側の吸排気の部分に化粧的な機能を備えた合成樹脂板製のグリル板を取り付けているが、グリル板は浴室暖房機本体にビス等で固定され、また機能面からフィルターなどの部材を取り付ける必要があるために適度な剛性が必要とされ、このためグリル板の背面にはリブによる補強が必要となる。しかしながら、上記のようにグリル板の背面にリブを設けて補強した場合、リブにより仕切られた凹部ができ、グリル板の背面側で結露した場合、上記の凹部に水が溜まり、グリル板の背面の水が排水されないという問題がある。そしてこのようにグリル板の背面の水が排水されず、長時間水を溜まると、がび、雑菌などの繁殖を促したり、悪臭を発生したりするという問題がある。またグリル板の背面に多量の水が溜まると、グリル板から滴下してユーザーに不快感を与えるという問題がある。
【０００４】
特に近年、浴室暖房機に温水のミストを噴出するミストノズルを設けてミストサウナ浴ができる機能を設けたものも提供されているが、この場合、ミストが吸引されてグリル板の背面に多くの水滴が入ることになる。このためグリル板の背面側の水がリブにて排水されないと、さらに上記問題を生じる。
【０００５】
なお、上記特許文献１ではグリル板から水が直接下に滴下しないようにするため、竿等を介して排水するようになっており、また特許文献２ではグリル板に水が排水されないように暖房機本体に水溜まりを設けているが、いずれもグリル板の背面にリブを設けて補強した場合、グリル板の背面に水が溜まるという問題がある。
【０００６】
本発明は上記の従来の問題点に鑑みて発明したものであって、リブを設けてグリル板を補強してもグリル板の背面側に水が溜まらないように排水することができる浴室暖房機を提供することを課題とするものである。
【課題を解決するための手段】
【０００７】
上記課題を解決するために本発明に係る浴室暖房機Ａは、熱交換器１や送風機２を具備した浴室暖房機本体３の略水平な下面に、吸い込み口４や温風吹き出し口５を有するグリル板６を装着し、グリル板６の背面にグリル板６を補強するリブ７を縦横に複数本設け、グリル板６にグリル板６の背面側の水を外部に排水する排水開口を設けると共にグリル板６の背面の複数本のリブ７に通水するための通水用切り欠き８を設けてグリル板６の背面の水を通水用切り欠き８を介して排水開口に集めるようにしたことを特徴とする。
【０００８】
上記のようにグリル板６の背面にグリル板６を補強するリブ７を縦横に複数本設けても、グリル板６にグリル板６の背面側の水を外部に排水する排水開口を設けると共にグリル板６の背面の複数本のリブ７に通水するための通水用切り欠き８を設けてグリル板６の背面の水を通水用切り欠き８を介して排水開口に集めるようにしたしたことにより、グリル板６の背面側で結露したりしてもグリル板６の背面に水が溜まることなく、スムーズに排水することできる。従って、グリル板の背面に長時間水が溜まってかび、雑菌などが繁殖したり、悪臭を発生したりする虞がなくなる。
【０００９】
またグリル板６の最も低い部分に温風吹き出し口５を設けてこの温風吹き出し口５を上記排水開口とし、温風吹き出し口５から外部に排水するようにしたことを特徴とすることも好ましい。グリル板６の背面側で結露したりした水が通水用切り欠き８を介して温風吹き出し口５に集まって排水されるが、このとき温風吹き出し口５から吹き出される温風にて水が吹き飛ばされると共に水が蒸発させられ、大粒の水滴が下方に落下することなく、ユーザーに水滴が当たって不快感を与えることが少ない。
【００１０】
また浴室暖房機本体３に温水のミストを噴き出すミストノズル９を設け、グリル板６に設けたノズル挿通穴１０にミストノズル９を挿通してミストノズル９の先端をグリル板６の表面側に露出させたことを特徴することも好ましい。ミストノズル９から温水のミストをグリル板６の下方に噴き出して浴室１１内にミストを充満させてミストサウナ浴ができる。このとき、浴室１１内にミストが充満するためにグリル板６の背面側に水が溜まりやすいが、上記のようにスムーズに排水できることで水が溜まるのが防止でき、特にミストサウナ浴の機能を有するもので有用に利用できる。
【発明の効果】
【００１１】
本発明の請求項１の発明は、上述のようにグリル板の背面にグリル板を補強するリブを縦横に複数本設けても、グリル板にグリル板の背面側の水を外部に排水する排水開口を設けると共にグリル板の背面の複数本のリブに通水するための通水用切り欠きを設けてグリル板の背面の水を通水用切り欠きを介して排水開口に集めるようにしたことにより、グリル板の背面側で結露したりしてもグリル板の背面に水が溜まることなく、スムーズに排水することでき、グリル板の背面に長時間水が溜まってかび、雑菌などが繁殖したり、悪臭を発生したりする虞がなくなるという効果がある。
【００１２】
また本発明の請求項２の発明は、請求項１において、グリル板の最も低い部分に温風吹き出し口を設けてこの温風吹き出し口を上記排水開口とし、温風吹き出し口から外部に排水するようにしているので、温風吹き出し口から吹き出される温風にて水が吹き飛ばされると共に水が蒸発させられ、大粒の水滴が下方に落下することなく、ユーザーに水滴が当たって不快感を与えることが少ないという効果がある。
【００１３】
また本発明の請求項３の発明は、請求項１または請求項２において、浴室暖房機本体に温水のミストを噴き出すミストノズルを設け、グリル板に設けたノズル挿通穴にミストノズルを挿通してミストノズルの先端をグリル板の表面側に露出させているので、浴室内にミストを充満させてミストサウナ浴ができるのは勿論、浴室内にミストが充満するためにグリル板の背面側に水が溜まりやすくても上記のようにスムーズに排水できることで水が溜まるのが防止でき、特にミストサウナ浴の機能を有するもので有用に利用できるという効果がある。
【発明を実施するための最良の形態】
【００１４】
以下、本発明を添付図面に示す実施形態に基いて説明する。先ず、図１乃至図９に示す実施の形態の例から述べる。本例の浴室暖房機Ａは浴室１１内の暖房のみならず、浴室１１の換気をしたり、浴室１１内を乾燥したり、浴室１１内に干した洗濯物を乾燥したりする機能も有するものである。この浴室暖房機Ａは浴室暖房機本体３と浴室暖房機本体３の下面に装着したグリル板６にて主体が構成されている。浴室暖房機本体３は図５乃至図９に示すように天井裏に配置してあり、吊り金具１２等にて天井スラブ等に吊り支持してあり、浴室暖房機本体３の下面を天井板１３の開口１４に臨ませてある。天井板１３の下から開口１４を覆うようにグリル板６が配置され、グリル板６から開口１４を介して取り付けねじ１５が浴室暖房機本体３に螺合されてグリル板６が浴室暖房機本体３の下面側に取り付けられている。このようにすることで浴室暖房機本体３の周縁の下面とグリル板６の周縁との間に天井板１３の開口１４の周縁を挟むようにグリル板６が取り付けられている。
【００１５】
グリル板６はＡＢＳ樹脂のような合成樹脂にて一体に形成されるものであり、吸い込み口４や温風吹き出し口５を一体に設けてある。吸い込み口４は本例の場合、ガラリ状になっており、吸い込み口４の背面側にフィルター２０を設けてある。フィルター２０は周囲にフィルター枠２７を一体に設けてあり、吸い込み口４と吸い込み口４の背面側に設けた押さえ枠２８との間にフィルター２０をスライド自在に差し込んである。また吸い込み口４と温風吹き出し口５との間には出し入れ用開口２９を設けてあり、フィルター枠２７と一体の把手３０を持ってフィルター２０が出し入れ用開口２９から抜き差し自在になっている。浴室暖房機本体３内には熱交換器１や送風機２を内装してある。熱交換器１は内部に温水を通すことで外部を流れる空気と熱交換するようになっている。この熱交換器１には給湯器１６から給湯配管１７を介して温水が供給されるようになっている。また上記送風機２には循環用ファン２ａと換気用ファン２ｂとがある。また浴室暖房機本体３の温風吹き出し口５と対応する位置には温風吹き出し口５を開閉する可動ルーバー１９を回転自在に装着してある。また浴室暖房機Ａは浴室１１の壁面に設けた操作器１８にて操作できるようになっている。
【００１６】
浴室１１内を暖房する暖房運転をする場合、熱交換器１に温水を供給し、換気用ファン２ｂを停止状態にすると共に循環用ファン２ａを駆動し、可動ルーバー１９を開状態にして温風吹き出し口５を開いておく。すると、浴室１１内の空気が吸い込み口４から浴室暖房機本体３内に吸い込まれ、熱交換器１で温水と熱交換することで加熱された温風が温風吹き出し口５から吹き出されるように空気が循環し、浴室１１内が暖房される。
【００１７】
浴室１１内の換気をする換気運転をする場合、熱交換器１への温水の供給を停止し、循環用ファン２ａを停止すると共に換気用ファン２ｂを駆動し、可動ルーバー１９を閉状態にして温風吹き出し口５を閉じておく。すると浴室１１内の空気が吸い込み口４から浴室暖房機本体３内に吸い込まれ、排気ダクト２１を介して外部に排気され、浴室１１内の換気が行われる。
【００１８】
浴室１１内を乾燥したり、浴室１１内に干した洗濯物を乾燥したりする乾燥運転を行う場合、熱交換器１に温水を供給し、循環用ファン２ａ及び換気用ファン２ｂを駆動し、可動ルーバー１９を開状態にして温風吹き出し口５を開いておく。すると、浴室１１内の空気が吸い込み口４から浴室暖房機本体３内に吸い込まれ、熱交換器１で温水と熱交換することで加熱された温風が温風吹き出し口５から吹き出すように空気が循環し、一方浴室暖房機本体３に吸い込まれた空気の一部が排気ダクト２１を介して外部に排気される。これにより浴室１１内の湿度が下がり、浴室１１内の乾燥や浴室１１内に干した洗濯物の乾燥が行われる。
【００１９】
浴室暖房機Ａは上記のような構造になっているが、本発明ではグリル板６に次のような構造を採用している。グリル板６は図１に示すように矩形板状に形成されているが、周縁には背面側に立ち上がる立ち上がり縁２２を全周に亙って設けてある。この矩形状のグリル板６の短手方向の中央には長手方向に長い矩形状の温風吹き出し口５を設けてある。温風吹き出し口５の吸い込み口４側の部分が最も低くなっており、周縁から温風吹き出し口５の部分が低くなるようにグリル板６の背面に短手方向に勾配面２３を設けてある。グリル板６の短手方向の端部と温風吹き出し口５との間には略全面に亙るようにガラリ状の吸い込み口４を設けてあり、吸い込み口４の背面側にフィルター２０を取り付けてある。グリル板６の四隅には取り付け穴部２４を夫々設けてあり、この取り付け穴部２４に取り付けねじ１５を挿通してグリル板６を浴室暖房機本体３に取り付けることができるようになっている。
【００２０】
上記のようにグリル板６は合成樹脂にて一体に形成されるが、グリル板６には取り付け穴部２４部に取り付けねじ１５を挿通して取り付ける必要があると共にフィルター２０を取り付ける機能を持たす必要があって、グリル板６にある程度の剛性を持たせる必要がある。そこで、本発明ではグリル板６の背面に縦横に複数本のリブ７を設けてある。ところが、単にリブ７を設けただけでは縦横のリブ７で囲まれた凹所ができ、グリル板６の背面側で結露した時に水がこの凹所に溜まった状態になるおそれがある。そこで、縦横のリブ７が交差する部分やその他の要所に図１や図２に示すようにリブ７の上下に亙るように通水用切り欠き８を設けてある。この通水用切り欠き８はリブ７の補強効果が低下しないように幅狭になるように設けてある。またグリル板６の最も低い位置の温風吹き出し口５を排水開口として排水するようになっており、どの部分からも温風吹き出し口５に向けて上記勾配面２３との相乗の作用で水が流れる必要最低限の箇所に設けてある。
【００２１】
グリル板６は上記のように構成され、グリル板６の背面に結露水が付着しても、図３の矢印のようにグリル板６の背面に沿って水が流れ、スムーズに温風吹き出し口５まで水が至り、温水吹き出し口５から吹き出す温風で水が吹き飛ばされる。このようにグリル板６の背面側の結露水がスムーズに流れて排水されるために、グリル板６の背面側に水が長時間に亙って溜まることがなくなり、かびや雑菌が繁殖したり、悪臭を発したりするおそれがなくなる。また温水吹き出し口５から水を排水することにより、水が温風で吹き飛ばさされると共に蒸発させられ、大粒の水滴が下方に落下してユーザーに当たったりして不快感を与えることが少ない。
【００２２】
次に図１０乃至図１２に示す実施の形態の例について述べる。本例も上記例と基本的に同じであり、異なる点だけを主に述べる。上記例の浴室暖房機Ａは浴室１１の暖房のみならず、浴室１１内の換気をしたり、浴室１１内を乾燥したり、浴室１１内に干した洗濯物を乾燥したりする機能を有しているが、本例ではこれに加えて温水のミストを噴き出してミストサウナ浴をする機能も備えている。浴室暖房機本体３やグリル板６は上記例と同じように取り付けられているが、本例の場合、浴室暖房機本体３にミスト用温水供給制御部２５を設けてあり、給湯器１６から給湯配管１７を介してミスト用温水供給制御部２５に温水が供給できるようになっている。ミスト用温水供給制御部２５にはミストノズル９を突設してあり、ミスト用温水供給制御部２５からミストノズル９に温水を供給してミストノズル９からミストを噴き出すことができるようになっている。
【００２３】
グリル板６も上記例と同じ構造であるが、本例の場合、一対の取り付け穴部２４の近傍にノズル挿通穴１０を設けてあり、このノズル挿通穴１０にミストノズル９を挿通してミストノズル９の先端を露出させることができるようになっている。このグリル板６はミストノズル９を設けない上記例と同じ成形金型を共用して成形されるものであり、図１１の符号Ｂに示す部分だけコアの入れ替えが行われ、ノスル挿通穴１０のあるものと無いものとが成形されるようになっている。
【００２４】
このように構成した浴室暖房機Ａは、浴室１１内の暖房を行う暖房運転、浴室１１内の換気を行う換気運転、浴室１１内を乾燥したり、浴室１１内に干した洗濯物を乾燥したりする乾燥運転を行うことができるが、これらの運転は上記例と同様に行うことができる。本例では上記運転に加えてミストサウナ運転を行うことができるようになっている。ミストサウナ運転を行うときはミストノズル９から温水のミストが噴き出される。このとき、暖房運転を併用して行われる。つまり、熱交換器１へ温水を供給し、換気用ファン２ｂを停止すると共に循環用ファン２ａを駆動し、可動ルーバー１９を開状態にして温風吹き出し口５を開いておく。すると、浴室１１内の空気が吸い込み口４から浴室暖房機本体３内に吸い込まれ、熱交換器１で温水と熱交換することで加熱された温風が温風吹き出し口５から吹き出されるように空気が循環し、浴室１１内が暖房されると共にミストが加熱されてミストサウナ浴ができる。
【００２５】
このようにミストサウナ浴を行うとき、ミストが循環するためにグリル板６の背面側にミストが吸引されてグリル板６の背面に多くの水滴が入ることとなるが、本例のグリル板６もリブ７に通水用切り欠き８を設けてあるため、図１２の矢印のようにグリル板６の背面の水が通水用切り欠き８を介して温風吹き出し口５に至り、温水吹き出し口５から吹き出される温風にて吹き飛ばされる。これによりグリル板６の背面側に多量の水が入っても溜まるという弊害を生じないと共に温風吹き出し口５からの温風にて水が吹き飛ばされることにより大粒の水滴が下方に落下してユーザに不快感を感じさせることが少ない。
【００２６】
またグリル板６には親水性処理を施してあることが好ましい。吸い込み口４から浴室１１内の空気を吸い込むとき、高湿度の空気がフィルター２０を透過し、ガラリ状の吸い込み口４に水分が付着するが、親水性処理を施すことでこの部分で水滴とならず、吸い込み口４から水滴となって滴下することがないと共に勾配面２３に沿って温風吹き出し口５の方にスムーズに流れて温風吹き出し口５から吹き飛ばされる。またグリル板６に光触媒塗料を塗布したり、またエンボス加工を施すことも好ましい。
【図面の簡単な説明】
【００２７】
【図１】本発明の実施の形態の一例の浴室暖房機のグリル板の背面側から見た斜視図である。
【図２】（ａ）は図１や図１１のＸ部拡大斜視図、（ｂ）は図１や図１１のＹ部拡大斜視図、（ｃ）は図１や図１１のＺ部拡大斜視図、（ｄ）は図１や図１１のＷ部拡大斜視図である。
【図３】図１のグリル板の背面に結露したときの水の流れを示す斜視図である。
【図４】同上のグリル板の断面図である。
【図５】同上の浴室暖房機を浴室内に設置した状態の概略斜視図である。
【図６】同上の浴室暖房機を天井に設置した状態を示し、温風吹き出し口を閉じた状態の斜視図である。
【図７】同上の浴室暖房機を天井に設置した状態を示し、温風吹き出し口を開いた状態の斜視図である。
【図８】同上の浴室暖房機の温風吹き出し口を閉じた状態の断面図である。
【図９】同上の浴室暖房機の温風吹き出し口を開いた状態の断面図である。
【図１０】同上の他の例の浴室暖房機の断面図である。
【図１１】同上のグリル板の斜視図である。
【図１２】同上のグリル板の背面に結露したときの水の流れを示す斜視図である。
【符号の説明】
【００２８】
１  熱交換器
２  送風機
３  浴室暖房機本体
４  吸い込み口
５  温風吹き出し口
６  グリル板
７  リブ
８  通水用切り欠き
９  ミストノズル
１０  ノズル挿通穴
【図１】
2005076916.tif 000003
【図２】
2005076916.tif 000004
【図３】
2005076916.tif 000005
【図４】
2005076916.tif 000006
【図５】
2005076916.tif 000007
【図６】
2005076916.tif 000008
【図７】
2005076916.tif 000009
【図８】
2005076916.tif 000010
【図９】
2005076916.tif 000011
【図１０】
2005076916.tif 000012
【図１１】
2005076916.tif 000013
【図１２】
2005076916.tif 000014